(57)【要約】【課題】装置内部への虫の侵入を抑制することができる表示装置を提供する。【解決手段】表示装置１は、透光性を有し、かつ絵柄２０が前面に設けられた表示パネル２と、表示パネル２の後側に位置する導光板３と、導光板３に向けて光を出射する出射面４０を有する光源装置４と、を備える。表示パネル２は、出射面４０の前方に位置する一端部２１と、一端部２１を除いた主体部２２と、を含む。光源装置４は、表示パネル２の一端部２１の前方を覆う延出片４１を有する。表示パネル２のうち、一端部２１の前面２１０は、主体部２２の前面２２０よりも前側に位置する。【選択図】図２
2020017443.tif 000002
【特許請求の範囲】
【請求項１】
透光性を有し、かつ絵柄が前面に設けられた表示パネルと、
前記表示パネルの後側に位置する導光板と、
前記導光板に向けて光を出射する出射面を有する光源装置と、を備え、
前記表示パネルは、前記出射面の前方に位置する一端部と、前記一端部を除いた主体部と、を含み、
前記光源装置は、前記表示パネルの前記一端部の前方を覆う延出片を有し、
前記表示パネルのうち、前記一端部の前面は、前記主体部の前面よりも前側に位置する、
表示装置。
【請求項２】
前記表示パネルは、前記絵柄を形成する塗膜を有し、
前記塗膜は、
前記一端部の前面を構成する第一部分と、前記主体部の前面を構成する第二部分と、を含み、
前記第一部分は、前記第二部分よりも肉厚である、
請求項１の表示装置。
【請求項３】
前記絵柄は、緑色と白色を含んだ絵柄であり、
前記第一部分は緑色である、
請求項２の表示装置。
【請求項４】
前記第一部分は、透光性を有し、５００ｎｍ以上かつ５５０ｎｍ以下の波長の光を透過させる、
請求項２の表示装置。
【請求項５】
前記表示パネルは、
透光性を有し、かつ前記絵柄が前面に設けられたパネル本体と、
前記パネル本体の端部の前面に取り付けられた覆い材と、を含み、
前記覆い材の前面が、前記表示パネルの前記一端部の前面を構成する、
請求項１の表示装置。
【請求項６】
前記覆い材は、透光性を有さない、
請求項５の表示装置。
【発明の詳細な説明】
【技術分野】
【０００１】
本開示は、表示装置に関する。
【背景技術】
【０００２】
従来、誘導灯等として用いられる表示装置として、例えば、特許文献１記載の照明装置が知られている。
【０００３】
特許文献１に記載の照明装置は、誘導表示が表示された表示パネルと、表示パネルの裏面側に配設される導光板と、導光板に向けて光を出射する光源ユニットと、光源ユニットを覆うユニットケースを備える。ユニットケースは、表示パネルの一端部を覆う部分を有している。
【先行技術文献】
【特許文献】
【０００４】
【特許文献１】特開２０１０−１０２８５８号公報
【発明の概要】
【発明が解決しようとする課題】
【０００５】
ところで、従来の表示装置（特許文献１に記載の照明装置）では、ユニットケースと表示パネルの一端部との間に隙間がある場合に、この隙間の奥側に、光源ユニットの光の出射面が位置しており、この隙間が明るく照らされやすい。そのため、従来の表示装置では、表示パネルの表面に飛来した虫が、この隙間に向かって進み、表示装置の内部に入り込むおそれがある。
【０００６】
上記事情に鑑みて、本開示は、装置内部への虫の侵入を抑制することができる表示装置を提供することを、目的とする。
【課題を解決するための手段】
【０００７】
本開示に係る一態様の表示装置は、透光性を有し、かつ絵柄が前面に設けられた表示パネルと、前記表示パネルの後側に位置する導光板と、前記導光板に向けて光を出射する出射面を有する光源装置と、を備える。前記表示パネルは、前記出射面の前方に位置する一端部と、前記一端部を除いた主体部と、を含む。前記光源装置は、前記表示パネルの前記一端部の前方を覆う延出片を有する。前記表示パネルのうち、前記一端部の前面は、前記主体部の前面よりも前側に位置する。
【発明の効果】
【０００８】
本開示は、装置内部への虫の侵入を抑制することができる表示装置を提供することができる。
【図面の簡単な説明】
【０００９】
【図１】図１は、本開示に係る実施形態１の表示装置を示す斜視図である。
【図２】図２は、同上の表示装置の要部を示す断面図である。
【図３】図３は、同上の表示装置を示す分解斜視図である。
【図４】図４は、本開示に係る実施形態２の表示装置の要部を示す断面図である。
【発明を実施するための形態】
【００１０】
（実施形態１）
（１）概要
図１及び図２には、本開示に係る実施形態１の表示装置１が示されている。表示装置１は、透光性を有し、かつ絵柄２０が前面に設けられた表示パネル２と、表示パネル２の後側に位置する導光板３と、導光板３に向けて光を出射する出射面４０を有する光源装置４と、を備える。表示装置１は、例えば避難誘導用の誘導灯として用いられる。本明細書では、図１に示す矢印の向きで表示装置１の上下前後左右の各方向を定義し、各構成について説明する。
【００１１】
表示パネル２は、出射面４０の前方に位置する一端部２１と、一端部２１を除いた主体部２２と、を含む。光源装置４は、表示パネル２の一端部２１の前方を覆う延出片４１を有する。表示パネル２のうち、一端部２１の前面２１０は、主体部２２の前面２２０よりも前側に位置する。
【００１２】
（２）詳細
以下、本実施形態の表示装置１について更に詳しく説明する。表示装置１は更に、表示パネル２及び導光板３を支持するパネルケース５と、光源装置４を発光させるための各種の電気機器が収容される筐体６を備える。各種の電気機器は、例えば、端子台７と電源装置８と制御装置９である（図３参照）。
【００１３】
（２−１）表示パネル
表示パネル２は、透光性を有するパネル本体２３と、パネル本体２３の前面に塗装され、絵柄２０を形成する塗膜２４と、を有する。パネル本体２３は、樹脂成型品であり、例えば、アクリル樹脂で形成される。パネル本体２３は、矩形板状であり、前後方向の厚みが一定である。塗膜２４は、パネル本体２３の前面の全体を覆っている。
【００１４】
塗膜２４は、表示パネル２の一端部２１の前面２１０を構成する第一部分２４０と、表示パネル２の主体部２２の前面２２０を構成する第二部分２４１と、を含む。第一部分２４０は、第二部分２４１よりも肉厚である。第一部分２４０と第二部分２４１の厚みの差は、例えば、０．３ｍｍである。第一部分２４０は、延出片４１によって覆われて隠れる部分であり、第二部分２４１は、露出する部分である。
【００１５】
絵柄２０は、緑色と白色を含む絵柄であり、人物を模したピクトグラムである。更に詳しくは、絵柄２０は、避難口であることを示すシンボルであって、シンボルの色彩が緑色であり、シンボルの地の色彩が白色である。緑色は、ＪＩＳ  Ｚ  ９１０３で定められた色度座標の緑色の色相のものが用いられる。なお、絵柄２０は、図１に示す絵柄に限らず、例えば、避難の方向を示す矢印の形のシンボルや、避難口であることを示す、「非常口ＥＸＩＴ」の文字であってもよい。
【００１６】
塗膜２４のうち、第二部分２４１は、緑色と白色を含み、第一部分２４０は、緑色である。第二部分２４１に、避難口であることを示すシンボルが表示される。第一部分２４０の緑色と第二部分２４１の緑色とは、同じ色の塗料で構成される。
【００１７】
第一部分２４０は、透光性である。第一部分２４０を通過した光の波長は、５００ｎｍ以上かつ５５０ｎｍ以下である。この範囲の波長の光は、人間にとっては明るく見え、かつ虫にとっては暗く見える光である。そのため、この範囲の波長の光には、虫が寄り付きにくい。
【００１８】
第二部分２４１は、透光性を有する。第二部分２４１のうち、緑色の部分は、５００ｎｍ以上かつ５５０ｎｍ以下の波長の光を透過させる。第二部分２４１のうち、白色の部分は、虫にとって明るく見えやすい３６０ｎｍ前後の波長を含む光を透過させる。
【００１９】
（２−２）導光板
導光板３は、樹脂成型品であり、例えば、アクリル樹脂で形成される。導光板３は、矩形板状であり、前後方向に厚みを有する。導光板３は、上面３０が、光源装置４の出射面４０から出射された光が入射される入射面であり、前面３１が、導光板３の内部に入射された光が出射される出射面である。
【００２０】
導光板３の後面３２には、前面３１の全体から光が略均一に出射されるように、光を反射及び拡散させる反射拡散機能が付与されている。反射拡散機能は、後面３２自体に凹凸状の拡散パターンを形成することによって付与してもよいし、拡散機能を有する他の部材（パネルケース５の後板５０等）を後面３２に積層することで付与してもよい。
【００２１】
導光板３の左右長さは、表示パネル２の左右長さと略同じである。導光板３の上下長さは、表示パネル２の上下長さよりも短い。導光板３の入射面（上面３０）は、表示パネル２の一端部２１の後方に配置される。
【００２２】
（２−３）光源装置
図１、図２及び図３に示すように、光源装置４は、光源４２と、棒状の導光部材４３と、光源４２と導光部材４３を収容する光源カバー４４とを備える。
【００２３】
光源４２は、例えば、発光ダイオードである。導光部材４３は、左右方向に長尺である。導光部材４３は、左右の端面の少なくとも一方が、光源４２からの光が入射される入射面を構成し、下面が光を出射する出射面４０を構成している。導光部材４３は、導光板３と同じ材質であり、例えばアクリル樹脂で形成される。
【００２４】
光源カバー４４は、左右方向に長尺な矩形の箱状である。光源カバー４４は、透光性を有さず、例えば樹脂成型品である。
【００２５】
光源カバー４４は、後側及び下側に開口した箱状である。光源カバー４４は、前壁４４０、左右一対の側壁４４１、上壁４４２及び後壁４４３を一体に有する。壁４４０，４４１，４４２，４４３のそれぞれは、矩形板状である。
【００２６】
光源カバー４４内には、導光部材４３の左右の端面の一方（本実施形態では左の端面）に光源４２が対向するように、導光部材４３と光源４２が取り付けられる。
【００２７】
光源４２から導光部材４３内へ入射された光は、導光部材４３の下面（出射面４０）の左右方向の全長から下側に出射され、これにより、導光板３の上面３０の左右方向の全長に、光が入射される。
【００２８】
前壁４４０は、導光部材４３の下面（出射面４０）よりも下方に突出している。前壁４４０は、表示パネル２の一端部２１の前方に位置する部分を有する。この部分が、延出片４１である。
【００２９】
後壁４４３の後面には、筐体６への取り付けに用いられる取付部４５が設けられている（図３参照）。
【００３０】
（２−４）パネルケース
図３に示すように、パネルケース５は、表示パネル２と導光板３を前後に重なった状態で支持するケースである。パネルケース５は、透光性を有さず、例えば、樹脂成型品である。パネルケース５は、上面及び前面が開口した扁平な矩形の箱型である。パネルケース５は、後板５０（図２参照）と、表示パネル２及び導光板３の左右の側面を支持する左右一対の側板５１と、表示パネル２及び導光板３の下面を支持する底板５２と、表示パネル２の前面の外周部を支持する前枠５３と、を備える。
【００３１】
前枠５３は、左右の側板５１の前端部及び底板５２の前端部のそれぞれと一体であり、前側から視て、略Ｕ字状である。前枠５３は、表示パネル２の前面の左右の端部と下端部とを前側から支持する。後板５０の後面には、筐体６への取り付けに用いられる取付部５４が設けられている。
【００３２】
パネルケース５には、上面の開口を通じて、重なった状態の表示パネル２及び導光板３が収容される。パネルケース５に収容された状態で、表示パネル２の左右の端部と下端部とが前枠５３によって前側から押さえられる。パネルケース５に収容された状態で、表示パネル２の一端部２１の上部は、導光板３の上面３０よりも上側に突出する。
【００３３】
（２−５）筐体
図３に示すように、筐体６は、前面が開口した矩形の箱型である。筐体６には、パネルケース５の取付部５４が取り付けられる被取付部６０と、光源装置４の取付部４５が取り付けられる被取付部６１とが設けられている。筐体６に、パネルケース５と光源装置４が取り付けられることで、筐体６の前面の開口の全体が塞がれる。筐体６には、互いに組み合わせた状態（詳しくは、延出片４１と導光部材４３の間に表示パネル２の一端部２１が位置するように組み合わせた状態）のパネルケース５と光源装置４が、取り付けられる。
【００３４】
（２−６）その他
端子台７は、外部電源に接続された電気配線が接続される装置である。電源装置８は、光源装置４の光源４２に電力を供給する装置である。電源装置８は、蓄電池を含む。制御装置９は、光源４２の点灯・消灯を制御するための装置である。制御装置９は、回路基板と、その上に実装されて制御回路を構成する回路部品とを有する。
【００３５】
端子台７、電源装置８、及び制御装置９は、筐体６内に収容され、光源４２に対して直接または間接的に、電気的に接続される。
【００３６】
（３）作用効果
続いて、図１及び図２に示す表示装置１の作用効果について説明する。
【００３７】
表示装置１では、表示パネル２の一端部２１が、光源装置４の出射面４０の前方に位置する。そのため、表示装置１では、出射面４０から出射された光が、表示パネル２の一端部２１と延出片４１との間の隙間へと直接到達しにくく、この隙間が明るく照らされることを抑制することができ、この隙間に虫を寄せ付けにくい。
【００３８】
また、表示装置１では、表示パネル２のうち、延出片４１に対向する部分（つまり一端部２１）に、肉厚の第一部分２４０を設けているため、延出片４１と表示パネル２の一端部２１との間の隙間が狭くなっている。そのため、表示装置１では、この隙間に、虫が入り込みにくい。
【００３９】
また、表示装置１では、表示パネル２の一端部２１の前面を構成する第一部分２４０を通過した光の波長が、５００ｎｍ以上かつ５５０ｎｍ以下となっている。そのため、表示装置１では、延出片４１と表示パネル２の一端部２１との間に隙間がある場合でも、表示パネル２の一端部２１を透過した光が、虫にとっては暗く見え、この隙間に虫が入り込みにくい。
【００４０】
また、表示装置１では、表示パネル２のパネル本体２３の端部に塗布する塗料の量を、パネル本体２３のその他の部分よりも多くするだけで、第一部分２４０を肉厚に設けることができ、延出片４１との間に形成される隙間を狭くしやすい。
【００４１】
また、表示装置１では、第一部分２４０の色が、第二部分２４１の一部の色と同じであるため、塗料の変更が不要であり、第一部分２４０の形成がしやすい。
【００４２】
また、表示装置１では、延出片４１によって隠れる第一部分２４０のみ塗膜２４の厚みを増やしているため、主体部２２を覆う第二部分２４１を透過する光の輝度を確保しやすい。
【００４３】
また、表示装置１では、第一部分２４０は延出片４１によって隠れる部分であるため、第一部分２４０を厚く設けても目立ちにくく、外観の見栄えの低下を抑えることができる。
【００４４】
（４）変形例
以上説明した実施形態１の表示装置１の変形例について説明する。
【００４５】
表示パネル２は、塗膜２４以外で絵柄２０を形成してもよく、例えば、パネル本体２３の前面や後面に貼り付けた透光性を有するシールで絵柄２０を形成してもよい。
【００４６】
絵柄２０は、緑色と白色を含んだ絵柄に限定されず、更にその他の色を含んでもよいし、緑色と白色のいずれも含まない絵柄であってもよい。
【００４７】
第一部分２４０は、緑色に限らず、その他の色（黒、グレー等）であってもよい。
【００４８】
また、第一部分２４０を通過した光の波長の範囲は、５００ｎｍ以上かつ５５０ｎｍ以下に限定されず、その他の範囲であってもよい。また、第一部分２４０は、透光性を有さなくてもよい。
【００４９】
表示装置１は、導光板３に対して光源装置４が上側に位置する態様に限らず、下側、右側、あるいは左側に位置する態様で用いてもよい。また、表示装置１は、導光板３が上下方向に厚みを有する態様で用いてもよい。
【００５０】
光源装置４は、導光部材４３を備えず、光源４２として、左右方向に間隔をあけて配置された複数の発光ダイオードを備えたものであってもよいし、また、導光部材４３を備えず、光源４２として、蛍光灯を備えたものであってもよい。
【００５１】
表示装置１は、誘導灯に限らず、避難誘導のための電灯（非常灯）として用いてもよいし、各種の標識や広告を表示するための電灯として用いてもよい。
【００５２】
（実施形態２）
続いて、図４に示す実施形態２の表示装置１について説明する。以下では、実施形態２の表示装置１について、実施形態１の表示装置１と共通する構成については、図中に同一の符号を付して詳しい説明を省略し、実施形態１の表示装置１とは異なる構成については詳しく説明する。
【００５３】
実施形態２の表示装置１では、表示パネル２は、透光性を有し、かつ絵柄２０が前面に設けられたパネル本体２３と、パネル本体２３の端部の前面に取り付けられた覆い材２５と、を含む。覆い材２５の前面が、表示パネル２の一端部２１の前面２１０を構成する。絵柄２０は、塗膜２４で形成される。塗膜２４は、パネル本体２３のうち端部を除いた部分（延出片４１によって覆われない部分）の前面にのみ設けられている。塗膜２４の前面が、表示パネル２の主体部２２の前面２２０を構成する。
【００５４】
覆い材２５は、透光性を有さない。覆い材２５は、例えば、弾性を有する合成樹脂製（ウレタン樹脂など）のシートや、裏面に糊が付いた紙製のシールである。覆い材２５は、塗膜２４よりも肉厚である。
【００５５】
実施形態２の表示装置１においても、表示パネル２の一端部２１が、光源装置４の出射面４０の前方に位置する。そのため、実施形態２の表示装置１では、出射面４０から出射された光が、表示パネル２の一端部２１と延出片４１との間の隙間へと直接到達しにくく、この隙間が明るく照らされることを抑制することができ、この隙間に虫を寄せ付けにくい。
【００５６】
また、実施形態２の表示装置１では、表示パネル２のうち、延出片４１に対向する部分（つまり一端部２１）に、肉厚の覆い材２５を設けているため、延出片４１と表示パネル２の一端部２１との間の隙間が狭くなっている。そのため、実施形態２の表示装置１では、この隙間に、虫が入り込みにくい。
【００５７】
また、実施形態２の表示装置１では、覆い材２５が透光性を有さないため、表示パネル２の一端部２１を光が透過せず、延出片４１と表示パネル２の一端部２１との間に隙間がある場合でも、この隙間が暗くて、虫が寄り付きにくい。
【００５８】
また、実施形態２の表示装置１では、覆い材２５は延出片４１によって隠れるため、覆い材２５が目立ちにくく、外観の見栄えの低下を抑えることができる。
【００５９】
なお、実施形態２の表示装置１では、覆い材２５が、透光性であってもよく、この場合、覆い材２５は、虫を寄せ付けにくい波長（例えば５００ｎｍ以上かつ５５０ｎｍ以下）の光を透過させるように構成することが好ましい。また、覆い材２５は、延出片４１との間の隙間を埋めるように設けてもよく、この場合、覆い材２５は、虫を寄せ付けやすい波長の光を透過する部材であってもよい。
【００６０】
（まとめ）
以上説明した実施形態１、２及びその変形例の表示装置１のように、第一態様の表示装置１は、下記の構成を備える。
【００６１】
すなわち、第一態様の表示装置１は、透光性を有し、かつ絵柄２０が前面に設けられた表示パネル２と、表示パネル２の後側に位置する導光板３と、導光板３に向けて光を出射する出射面４０を有する光源装置４と、を備える。表示パネル２は、出射面４０の前方に位置する一端部２１と、一端部２１を除いた主体部２２と、を含む。光源装置４は、表示パネル２の一端部２１の前方を覆う延出片４１を有する。表示パネル２のうち、一端部２１の前面２１０は、主体部２２の前面２２０よりも前側に位置する。
【００６２】
上記構成のように、第一態様の表示装置１では、表示パネル２の一端部２１が出射面４０の前方に位置することで、延出片４１と表示パネル２の一端部２１との間の隙間に、出射面４０からの光が直接入り込みにくくて、この隙間に虫が寄り付きにくい。また、第一態様の表示装置１では、表示パネル２の一端部２１の前面２１０が、表示パネル２の主体部２２の前面２２０よりも前側に位置することで、延出片４１と表示パネル２の一端部２１との間に隙間が出来にくくて、この隙間に虫が入り込みにくい。したがって、第一態様の表示装置１では、表示パネル２の前面に飛来した虫が、延出片４１と表示パネル２の一端部２１との間の隙間を通じて、表示装置１の内部へと侵入しにくい。
【００６３】
また、実施形態１及びその変形例の表示装置１のように、第二態様の表示装置１は、第一態様の表示装置１の構成に加えて、下記の構成を付加的に備える。
【００６４】
すなわち、第二態様の表示装置１では、表示パネル２は、絵柄２０を形成する塗膜２４を有する。塗膜２４は、一端部２１の前面２１０を構成する第一部分２４０と、主体部２２の前面２２０を構成する第二部分２４１と、を含む。第一部分２４０は、第二部分２４１よりも肉厚である。
【００６５】
上記構成を備えることで、第二態様の表示装置１では、塗料の塗布量を調整することで、表示パネル２の一端部２１の前面２１０の前後位置の調整を簡単に行うことができる。
【００６６】
また、実施形態１及びその変形例の表示装置１のように、第三態様の表示装置１は、第二態様の表示装置１の構成に加えて、下記の構成を付加的に備える。
【００６７】
すなわち、第三態様の表示装置１では、絵柄２０は、緑色と白色を含んだ絵柄である。第一部分２４０は緑色である。
【００６８】
上記構成を備えることで、第三態様の表示装置１では、第一部分２４０を透過した光の波長が、虫を寄せ付けやすい低波長となりにくくて、第一部分２４０と延出片４１との間の隙間へ虫を寄せ付けにくい。また、第三態様の表示装置１では、第一部分２４０の色が、絵柄２０の緑色と同じため、第一部分２４０を設けやすい。
【００６９】
また、実施形態１及びその変形例の表示装置１のように、第四態様の表示装置１は、第二態様の表示装置１の構成に加えて、下記の構成を備える。
【００７０】
すなわち、第四態様の表示装置１では、第一部分２４０は、透光性を有し、５００ｎｍ以上かつ５５０ｎｍ以下の波長の光を透過させる。
【００７１】
上記構成を備えることで、第四態様の表示装置１では、第一部分２４０を透過した光の波長が、虫を寄せ付けやすい低波長とならず、第一部分２４０と延出片４１との間の隙間へ虫を寄せ付けにくい。
【００７２】
また、実施形態２及びその変形例の表示装置１のように、第五態様の表示装置１は、第一態様の表示装置１の構成に加えて、下記の構成を付加的に備える。
【００７３】
すなわち、第五態様の表示装置１では、表示パネル２は、透光性を有し、かつ絵柄２０が前面に設けられたパネル本体２３と、パネル本体２３の端部の前面に取り付けられた覆い材２５と、を含む。覆い材２５の前面が、表示パネル２の一端部２１の前面２１０を構成する。
【００７４】
上記構成を備えることで、第五態様の表示装置１では、パネル本体２３に取り付けた覆い材２５によって、パネル本体２３と延出片４１との間の隙間を狭めることができ、この隙間に虫が入り込みにくい。
【００７５】
また、実施形態２及びその変形例の表示装置１のように、第六態様の表示装置１は、第五態様の表示装置１の構成に加えて、下記の構成を付加的に備える。
【００７６】
すなわち、第六態様の表示装置１では、覆い材２５は、透光性を有さない。
【００７７】
上記構成を備えることで、第六態様の表示装置１では、覆い材２５を光が透過せず、覆い材２５と延出片４１との間の隙間が明るくなりにくくて、この隙間に虫を寄せ付けにくい。
【００７８】
以上、本開示を添付図面に示す実施形態に基づいて説明したが、本開示は上記の実施形態に限定されるものではなく、本発明の意図する範囲内であれば、適宜の設計変更が可能である。
【符号の説明】
【００７９】
１      表示装置
２      表示パネル
２０    絵柄
２１    一端部
２１０  前面
２２    主体部
２２０  前面
２３    パネル本体
２４    塗膜
２４０  第一部分
２４１  第二部分
２５    覆い材
３      導光板
４      光源装置
４０    出射面
４１    延出片
【図１】
2020017443.tif 000003
【図２】
2020017443.tif 000004
【図３】
2020017443.tif 000005
【図４】
2020017443.tif 000006